(57)【特許請求の範囲】
【請求項１】
複数種類の複数個のユニットを管理してシステム構成を設定する主制御部と、外部の端末装置からのコマンドが入力され、前記主制御部に制御要求を行うＨＭＩ制御部とを含む伝送装置のシステム構成設定方法に於いて、
前記端末装置からシステム構成設定変更コマンドにより、前記ＨＭＩ制御部は、該ＨＭＩ制御部で管理する管理情報を基にシステム構成の設定変更の可否を判定し、設定変更可の場合、前記管理情報を基に、現用側のユニットと予備側のユニットとのバージョンを判定し、新旧混在バージョンの場合は旧バージョンに、又同一の新バージョン或いは旧バージョンの場合は、新或いは旧バージョンに従ったバージョンに、前記主制御部によりシステム構成設定変更処理を行わせる過程を含む
ことを特徴とするシステム構成設定方法。
【請求項２】
前記端末装置からシステム構成設定変更コマンドを投入した時に、前記ＨＭＩ制御部は、前記管理情報を基に、ユニットの未実装，正常実装，誤実装の実装状態を判定し、該実装状態の判定結果を基にシステム構成の設定変更の可否を判定し、設定変更可の場合、前記主制御部に制御要求を加え、該主制御部によりシステム構成の設定を変更する過程を含むことを特徴とする請求項１記載のシステム構成設定方法。
【請求項３】
前記端末装置からシステム構成設定変更コマンドを投入した時に、前記ＨＭＩ制御部は、実装したユニットについて、前記管理情報を基に、現用側と予備側とのユニットのユニット種別が同一か否かを判定し、同一の場合のみシステム構成の設定変更可と判定し、実装されたユニットに適合した設定に変更する制御要求を前記主制御部に加え、該主制御部によりシステム構成設定変更処理を行わせる過程を含むことを特徴とする請求項１記載のシステム構成設定方法。
【請求項４】
前記端末装置からシステム構成設定変更コマンドを投入した時に、前記ＨＭＩ制御部は、前記管理情報を基に、ユニットの実装状態を判定し、該実装状態に対応して設定変更の可否を判定し、設定変更可の場合に、正常実装のユニットに対してはサービスイン可能状態に、又前記正常実装以外のユニットに対してはアウト・オブ・サービス状態にシステム構成設定変更処理を行わせる過程を含むことを特徴とする請求項１記載のシステム構成設定方法。
【請求項５】
複数種類の複数個のユニットを実装し、該ユニットを管理する主制御部と、外部の端末装置と接続し、前記主制御部との間で情報を送受信するＨＭＩ制御部とを含む伝送装置であって、
前記ＨＭＩ制御部は、ユニットの実装状態を管理するユニット実装状態管理部と、ユニットの種別を管理するユニット種別管理部と、ユニットのバージョンを管理するユニットバージョン管理部と、ユニットのイン・サービス状態等のサービス状態を管理するユニットサービス状態管理部と、回線のサービス状態を管理する回線サービス状態管理部と、回線の速度等を管理する回線接続状態管理部と、前記各管理部による管理情報を格納した管理テーブルと、前記端末装置からのシステム構成設定変更コマンドにより前記管理テーブルを参照してシステム構成の設定変更の可否を判定し、設定変更可の場合に、実装されているユニットのバージョンを判定し、現用側ユニットと予備側ユニットとのバージョンが新旧混在バージョンの場合は旧バージョンに、又同一の新バージョン或いは旧バージョンの場合は、新或いは旧バージョンに従ったバージョンに設定するシステム構成設定変更の制御要求を、前記主制御部へ送出する構成設定判定部とを有する
ことを特徴とする伝送装置。
【発明の詳細な説明】
【０００１】
【発明の属する技術分野】
本発明は、システム構成を自動的に設定するシステム構成設定方法及び伝送装置に関する。
各種の伝送装置は、複数種類且つ複数個のユニットを実装して構成する場合が一般的であり、システム拡張や機能アップ等の為に、ユニットの増設やユニットの交換を行い、それに伴ってシステム構成設定を行うことになる。このようなシステム構成の変更時の操作を簡単化することが要望されている。
【０００２】
【従来の技術】
図１０は伝送装置の要部説明図であり、５１はＨＭＩ（ヒューマン・マシン・インタフェース）制御部、５２は主制御部、５３は回線接続部、５４，５５は高次群ユニット、５６〜５８は低次群ユニット、５９は電源ユニット、６０は端末装置である。
【０００３】
高次群ユニット５４，５５と低次群ユニット５６〜５８とにより主信号ユニットを構成した場合を示し、主信号ユニットは主制御部５２によって管理される。高次群は、例えば、６００Ｍｂｐｓ、低次群は、例えば、５０Ｍｂｐｓの伝送速度とすることができるもので、主信号ユニットは、他の伝送装置や交換機との間の通信の為の例えば電気・光変換機能を含むインタフェース部を備えている。
【０００４】
又ＨＭＩ制御部５１は、端末装置６０からコマンドが投入された時に、そのコマンドを解析し、主制御部５２に制御要求を送出する構成を備えている。又主制御部５２は、前述のように、主信号ユニット等の種別，バージョン，実装，未実装等を管理する管理テーブル（図示を省略）を備え、システム構成を管理する構成を備えている。又回線接続部５３は、主信号ユニット間や外部の回線との接続を制御する構成を備えている。又電源ユニット５９は、各部に安定化した動作電圧を供給する安定化電源部を含む構成を備えている。
【０００５】
又各ユニットは、現用，予備の二重化構成として信頼性の向上を図る構成が一般的である。その場合、主制御部５２は、各ユニットの状態を管理することにより、現用ユニットに障害が発生した場合、予備ユニットに切替える制御等を行うことになる。又システム構成の拡張の為のユニットの増設や、機能アップの為のユニット交換によるシステム構成の変更を行う場合、オペレータは、システム構成の設定変更の為のコマンドを端末装置６０から順次投入することになる。
【０００６】
この端末装置６０からのコマンドをＨＭＩ制御部５１により受付けると、そのコマンドを解析し、解析結果に応じた制御要求を主制御部５２に送出する。主制御部５２は、制御要求に対応して、管理テーブルを参照し、システム構成の設定変更を行うことになる。
【０００７】
【発明が解決しようとする課題】
システム構成の拡張時等に於いてユニットを新規に実装する場合、又は新機能構成を搭載したユニットを、旧機能のユニットと交換する場合等のシステム構成の変更に伴って、主制御部５２の管理テーブルを更新し、且つ新たに実装されたユニットに対しての設定等を行う必要がある。その場合、前述のように、オペレータが端末装置６０から、例えば、現在イン・サービス可能状態の回線やユニットを、一旦アウト・オブ・サービス状態に変更する一連の手順が必要であり、又ユニット実装後、イン・サービス可能状態に設定する為の一連の手順が必要である。
【０００８】
従って、オペレータは、前述の一連の手順に従ったコマンドを投入しなければならず、各部の機能を熟知しているか或いは操作マニュアルを参照して、順次コマンドを投入することになり、その操作が煩雑である問題があった。又伝送装置の高機能化に伴って、多種類のユニットが多数実装されることになるから、システム構成の設定変更に於ける操作が一層煩雑化し、システム構成の変更から立上げまでに要する時間が長くなる問題があり、又複雑な操作により操作ミスの可能性が大きくなる問題もあった。
本発明は、システム構成設定変更時の操作を簡単化することを目的とする。
【０００９】
【課題を解決するための手段】
本発明のシステム構成設定方法は、図１を参照すると、（１）複数種類の複数個のユニットを管理してシステム構成を設定する主制御部２と、外部の端末装置１０からのコマンドが入力され、前記主制御部２に制御要求を行うＨＭＩ制御部１とを含む伝送装置のシステム構成設定方法であって、端末装置１０からシステム構成設定変更コマンドにより、前記ＨＭＩ制御部１は、このＨＭＩ制御部１で管理する管理情報を基にシステム構成の設定変更の可否を判定し、設定変更可の場合、管理情報を基に、現用側のユニットと予備側のユニットとのバージョンを判定し、新旧混在バージョンの場合は旧バージョンに、又同一の新バージョン或いは旧バージョンの場合は、新或いは旧バージョンに従ったバージョンに、主制御部２によりシステム構成設定変更処理を行わせる過程を含むものである。従って、最初に増設等に基づく情報とシステム構成設定変更コマンドを入力するだけで、主制御部２による設定変更を行わせることができる。
【００１０】
又（２）端末装置１０からシステム構成設定変更コマンドを投入した時に、ＨＭＩ制御部１は、管理情報を基に、ユニットの未実装，正常実装，誤実装の実装状態を判定し、この実装状態の判定結果を基にシステム構成の設定変更の可否を判定し、設定変更可の場合、主制御部２に制御要求を加え、この主制御部２によりシステム構成の設定を変更する過程を含むものである。
【００１１】
又（３）端末装置１０からシステム構成設定変更コマンドを投入した時に、ＨＭＩ制御部１は、実装したユニットについて、管理情報を基に、現用側と予備側とのユニットのユニット種別が同一か否かを判定し、同一の場合のみシステム構成の設定変更可と判定し、実装されたユニットに適合した設定に変更する制御要求を主制御部２に加え、この主制御部２によりシステム構成設定変更処理を行わせる過程を含むものである。即ち、現用側と予備側とのユニットが異なるユニット種別であると、二重化の機能が働かなくなるから、前の状態を維持させるものである。
【００１２】
又（４）端末装置１０からのシステム構成設定変更コマンドを投入した時に、ＨＭＩ制御部１は、管理情報を基に、現用側のユニットと予備側のユニットとのバージョンを判定し、新旧混在バージョンの場合は旧バージョンに、又同一の新或いは旧バージョンの場合は、新或いは旧バージョンに従ったバージョンにシステム構成設定変更処理を行わせる過程を含むものである。即ち、新旧バージョンが混在して実装された状態に於いては、旧バージョンの状態を維持させて、新バージョンに移行しないようにするものである。
【００１３】
又（５）端末装置１０からシステム構成設定変更コマンドを投入した時に、ＨＭＩ制御部１は、管理情報を基に、ユニットの実装状態を判定し、この実装状態に対応して設定変更の可否を判定し、設定変更可の場合に、正常実装のユニットに対してはサービスイン可能状態に、又正常実装以外のユニットに対してはアウト・オブ・サービス状態にシステム構成設定変更処理を行わせる過程を含むものである。即ち、正常実装状態でないユニットをイン・サービス状態とならないように自動的にアウト・オブ・サービス状態とするものである。
【００１４】
又本発明の伝送装置は、（６）複数種類の複数個のユニットを実装し、このユニットを管理する主制御部２と、外部の端末装置１０と接続し、主制御部２との間で情報を送受信するＨＭＩ制御部１とを含む伝送装置であって、ＨＭＩ制御部１は、主制御部２の管理情報を基に構成した管理テーブルと、ユニット及び回線の状態を管理する管理部と、端末装置１０からのシステム構成設定変更コマンドによって起動され、管理テーブルを参照してシステム構成の設定変更の可否を判定し、設定変更可の場合に、実装されているユニットに適合した設定へのシステム構成設定変更の制御要求を、主制御部２へ送出する構成設定判定部とを有するものである。
【００１５】
又（７）ＨＭＩ制御部１は、ユニットの実装状態を管理するユニット実装状態管理部と、ユニットの種別を管理するユニット種別管理部と、ユニットのバージョンを管理するユニットバージョン管理部と、ユニットのイン・サービス状態等のサービス状態を管理するユニットサービス状態管理部と、回線のサービス状態を管理する回線サービス状態管理部と、回線の速度等を管理する回線接続状態管理部と、前記各管理部による管理情報を格納した管理テーブルと、端末装置１０からのシステム構成設定変更コマンドにより前記管理テーブルを参照してシステム構成の設定変更の可否を判定し、設定変更可の場合に、実装されているユニットに適合した設定へのシステム構成設定変更の制御要求を、主制御部２へ送出する構成設定判定部とを備えている。
【００１６】
【発明の実施の形態】
図１は本発明の実施の形態の説明図であり、１はＨＭＩ（ヒューマン・マシン・インタフェース）制御部、２は主制御部、３は回線接続部、４，５は高次群ユニット、６，７，８は低次群ユニット、９は電源ユニット、１０は端末装置、Ｗは現用（Ｗｏｒｋ）、Ｐは予備（Ｐｒｏｔｅｃｔｉｏｎ）のユニットを示す。又高次群ユニット４，５と低次群ユニット６〜８とにより主信号ユニットを構成している。又下方の１１−１〜１１−ｎは実装前の各種の主信号ユニットを示し、又１２−１〜１２−ｍは実装前の例えばバージョンがそれぞれ異なる回線接続部ユニットを示す。又回線接続部３も図示を省略しているが、現用，予備の二重化構成とすることができる。
【００１７】
システム構成の拡張時や機能アップ時には、主信号ユニット１１−１〜１１−ｎを選択して実装することになる。又回線接続部３を所望のバージョンで動作させる為に、そのバージョンの回線接続部ユニット１２−１〜１２−ｍを選択して実装することになる。このように、新たにユニットを実装した場合や、ユニットを交換或いは抜き取ってシステム構成を変更する場合、端末装置１０からは、単にシステム構成の設定変更コマンドを投入するだけで、ＨＭＩ制御部１の判定処理等に従って主制御部２に制御要求を行うことにより、主制御部２は、システム構成の設定変更処理を行うものである。
【００１８】
図２は本発明の実施の形態のＨＭＩ制御部及び主制御部の説明図であり、図１と同一符号は同一部分を示し、ＨＭＩ制御部１は、ユニット実装状態管理部２１と、ユニット種別管理部２２と、ユニットバージョン管理部２３と、ユニットサービス状態管理部２４と、回線サービス状態管理部２５と、回線接続状態管理部２６と、管理テーブル２７と、構成設定判定部２８とを含む構成を有するものである。
【００１９】
又主制御部２は、ランダムアクセスメモリ（ＲＡＭ）３１と、ＥＰＲＯＭ，ＥＥＰＲＯＭ等のプログラマブル・リードオンリメモリ（ＰＲＯＭ）３２とによる管理テーブルと、インタフェース部３３や、ユニットの実装情報の収集機能等を含む構成を有するものである。又主信号ユニット１１は、図１に示す高次群ユニット４，５と低次群ユニット６〜８とを含む構成を示す。
【００２０】
又ＨＭＩ制御部１のユニット実装状態管理部２１は、ユニットの正常実装，誤実装，未実装等の実装状態を管理する。又ユニット種別管理部２２は、実装されているユニットに於いて処理する伝送速度等のユニット種別を管理する。又ユニットバージョン管理部２３は、実装されているユニットが旧構成か新構成か等のバージョンを管理する。又ユニットサービス状態管理部２４は、ユニット及び回線がイン・サービス状態かアウト・オブ・サービス状態か等のユニットのサービス状態を管理する。
【００２１】
又回線接続状態管理部２６は、現在設定されているクロスコネクト部の伝送速度を管理する。このクロスコネクト部は、図示を省略しているが、例えば、５０Ｍｂｐｓ或いは１．５Ｍｂｐｓによって高次群ユニット又は低次群ユニットにより処理する回線間を接続し、分岐，挿入，迂回等の経路設定を可能としている。又管理テーブル２７は、前述の各管理部に於いて管理する情報を格納するテーブルによって構成されている。
【００２２】
又構成設定判定部２８は、端末装置１０から最初に投入されたシステム構成設定変更コマンドにより、管理テーブル２７を参照して主制御部２に制御要求を送出して、自動的にシステム構成の設定変更処理を行うものである。従って、端末装置１０からシステム構成の設定変更を行う為の手順に従ったコマンドを順次投入することなく、構成設定判定部２８の機能によって設定変更の処理を実行するものである。前述の各管理部及び構成設定判定部２８は、プロセッサの処理機能によって実現することも可能である。又管理テーブル２７は、半導体集積回路メモリ等の各種の記憶装置によって構成することができる。
【００２３】
又主制御部２は、ランダムアクセスメモリ（ＲＡＭ）３１と、プログラマブル・リードオンリメモリ（ＰＲＯＭ）３２とを含む管理テーブルと、インタフェース部３３と共に、主信号ユニット１１の実装状態を監視する為に定期的に実装情報を読取り、管理テーブルを更新する制御機能等を含むものである。又主信号ユニット１１は、図１に示す高次群ユニット５，６や低次群ユニット６〜８等を示すものである。
【００２４】
図３は本発明の実施の形態の管理テーブルの関連構成説明図であり、図１と同一符号は同一部分を示し、３５は入出力部（Ｉ／Ｏ）、３７は管理テーブルを示し、この管理テーブル３７は、図２に於けるメモリ３１，３２により構成されている。又２７はＨＭＩ制御部１の管理テーブルを示す。
【００２５】
又管理テーブル２７，３７の２７−１，３７−１はユニットの正常実装，誤実装，未実装を管理するユニット実装状態テーブル、２７−２，３７−２はＯＣ３，ＯＣ１２（ＳＯＮＥＴに於ける１５５Ｍｂｐｓ，６００Ｍｂｐｓ）等のユニット種別テーブル、２７−３，３７−３はイン・サービス状態ＩＳかアウト・オブ・サービス状態ＯＯＳかを管理するサービス状態テーブルを示す。
【００２６】
主制御部２は、定期的にユニットの実装状態を監視する。又各ユニットは、ユニット種別情報等をリードオンリメモリ等により保持し、主制御部２から読取ることが可能な実装構成とする場合が一般的である。従って、主制御部２は、ユニットの実装状態を監視してユニット実装状態テーブル３７−１を更新し、実装状態のユニットから読取ったユニット種別情報等によりユニット種別テーブル３７−２を更新することになる。
【００２７】
そして、ユニット実装状態監視により検出した実装状態や種別情報等が、管理テーブル３７内と異なる場合、入出力部３５からユニット種別，バージョン情報を収集し、ユニット実装状態テーブル３７−１とユニット種別テーブル３７−２とを更新し、その更新結果を、ＨＭＩ制御部に更新情報として通知する。この通知を受けたＨＭＩ制御部１は、管理テーブル２７を更新する。
【００２８】
又ユニットサービス状態情報と、回線サービス状態情報と、回線接続状態情報とは、端末装置１０からのコマンドによって更新することができる。この場合、コマンドに対応したＨＭＩ制御部１のユニットサービス状態管理部２４，回線サービス状態管理部２５，回線接続状態管理部２６の管理情報を更新し、主制御部２に対して制御要求を行うものである。主制御部２は、この制御要求に従って管理情報の更新を行うものである。従って、主制御部２に於ける管理テーブル３７による管理情報と、ＨＭＩ制御部１に於ける管理テーブル２７による管理情報とは常に一致することになる。
【００２９】
図４は管理テーブルの説明図であり、前述の主制御部２の管理テーブル３７とＨＭＩ制御部１の管理テーブル２７とのユニット実装状態テーブルと、ユニット種別テーブルと、サービス状態テーブルの要部の一例を示す。即ち、主信号ユニットの高次群１−Ｗ（高次群ユニット４の現用），高次群１−Ｐ（高次群ユニット４の予備），高次群２−Ｗ（高次群ユニット５の現用），高次群２−Ｐ（高次群ユニット５の予備），低次群１−Ｗ（低次群６の現用），低次群１−Ｐ（低次群６の予備），・・・対応の領域に、正常実装等の実装状態情報と、ＯＣ３等のユニット種別情報と、イン・サービス状態ＩＳ等のサービス状態情報とが格納される。
【００３０】
この場合、ユニット実装状態テーブルは、実装状態であると共に、例えば、高次群用のスロットに高次群ユニットを実装した正常実装と、実装状態ではあるが、例えば、高次群用のスロットに低次群ユニットを実装した誤実装と、ユニットを実装しない未実装との実装状態情報を格納し、ユニット種別テーブルは、ＯＣ３，ＯＣ１２等のユニット種別情報を格納し、サービス状態テーブルは、イン・サービス状態ＩＳ又はアウト・オブ・サービス状態ＯＯＳのサービス状態情報を格納している。
【００３１】
例えば、高次群１−Ｗのユニットは、正常実装状態で、ユニット種別情報はＯＣ３、サービス状態情報はイン・サービス状態ＩＳであり、高次群１−Ｐは、未実装状態で、ユニット種別情報は未実装中となり、サービス状態情報はアウト・オフ・サービス状態ＯＳＳを示すものとなる。又高次群２−Ｐは、実装状態であるが、ユニット種別情報はＯＣ１２で、１５０ＭｂｐｓのＯＣ３の高次群用のユニットではないから誤実装とし、サービス状態情報はアウト・オブ・サービス状態ＯＳＳとする。又低次群１−Ｐのユニットは、ユニット種別情報がＥＣ１で正常実装状態としている時に、低次群１−Ｗのユニットを実装し、そのユニット種別情報がＤ３の場合、現用Ｗと予備Ｐとのユニット種別が異なるから、低次群１−Ｗのユニットは誤実装状態とし、正常実装状態ではないから、サービス状態情報はアウト・オブ・サービス状態ＯＳＳとする。
【００３２】
図５は本発明の第１の実施の形態のフローチャートであり、ユニットの挿抜によるシステム構成の設定変更コマンドを端末装置１０から投入することにより、ＨＭＩ制御部１の構成設定判定部２８（図２参照）は、管理テーブル２７を参照して、現用Ｗ又は予備Ｐのスロットに挿入されているユニットの実装状態が正常実装か否かを判定する（Ａ１）。即ち、主制御部２の管理テーブル３７とＨＭＩ制御部１の管理テーブル２７との実装情報は、一致するように制御されているから、ＨＭＩ制御部１の管理テーブル２７を参照することにより、ユニットの実装状態を判定することができる。
【００３３】
そして、正常実装状態でなければ、即ち、未実装又は誤実装の状態の場合は、この設定変更の処理を終了する。又正常実装状態であれば、ユニット種別管理部２２が管理しているユニット種別テーブル２７−２から現用Ｗスロットのユニット種別を読出し（Ａ２）、且つ予備Ｐスロットのユニット種別を読出す（Ａ３）。そして、現用Ｗスロットと予備Ｐスロットとのユニットのユニット種別が同一か否かを判定する（Ａ４）。
【００３４】
例えば、ＯＣ３のユニット種別のスロットにＯＣ１２のユニットを実装した場合、ユニット種別が異なることになり、前の状態を維持する為に、設定変更の処理を終了する。又ユニット種別が同一の場合、このユニット種別に対応した回線種別，回線速度を判定し（Ａ５）、管理テーブル（ＲＡＭ）２７の管理情報の更新を行い、主制御部２に対して設定変更の制御要求を行う（Ａ６）。
【００３５】
この制御要求に従って主制御部２は、ＨＭＩ制御部１からの管理情報を基に、管理テーブル（ＲＡＭ，ＥＥＰＲＯＭ）３７の管理情報を更新し、その管理情報によるシステム構成に従った設定データを入出力部３５（図３参照）に設定する（Ａ７）。即ち、新たに実装したユニットによるシステム構成の設定変更に於いて、端末装置１０から最初のシステム構成設定変更コマンド投入を行うだけで、ＨＭＩ制御部１の構成設定判定部２８の機能によって、管理テーブル２７を参照し、システム構成設定変更を主制御部２に指示することにより、実装されているユニットに適合した設定への変更を行わせることができる。
【００３６】
図６は本発明の第２の実施の形態のフローチャートであり、回線接続部ユニットの挿入に基づくクロスコネクトの速度変更の場合を示し、端末装置１０からこのクロスコネクトの速度変更情報を含むシステム構成の設定変更コマンドを投入する。ＨＭＩ制御部１の構成設定判定部２８は、このコマンドを解析し、その解析結果に基づいて、システム構成の情報を管理テーブル２７より獲得する（Ｂ１）。又回線接続状態管理部２６により管理している回線接続速度情報を管理テーブル２７から読出し（Ｂ２）、ユニット種別管理部２２により管理しているユニット種別を管理テーブル２７から読出す（Ｂ３）。
【００３７】
そして、設定されているクロスコネクト部の種別及び構成と、回線接続部３に実装されているユニットのユニット種別との組み合わせが不適合か否かを判定する（Ｂ４）。適合している場合は、設定変更の必要がないから、設定変更の処理は終了する。又不適合の場合、構成情報を基に回線接続速度を判定し、その回線接続速度に対応したクロスコネクトの速度を決定する（Ｂ５）。この決定により回線接続部３に対する管理情報を更新し、主制御部２に対してクロスコクネト速度の設定変更の制御要求を行う（Ｂ６）。
【００３８】
主制御部２は、ＨＭＩ制御部１から更新管理情報を含む制御要求に従って、管理テーブル（ＲＡＭ，ＥＥＰＲＯＭ）３７の管理情報を更新し、その管理情報によるシステム構成に従った設定データを入出力部３５（図３参照）に設定する（Ｂ７）。それによって、新たなクロスコネクト速度により回線間の接続及び切替えの制御が行われる。なお、イン・サービス状態からアウト・オブ・サービス状態への切替えを行った後、回線接続速度情報の変更を行い、そして、アウト・オブ・サービス状態からイン・サービス状態への切替えを行うステップは、図示を省略している。
【００３９】
図７は本発明の第３の実施の形態のフローチャートであり、異なるバージョンのユニットを実装した場合を示し、例えば、回線接続部３の現用Ｗスロットと予備Ｐスロットとにそれぞれ新たなバージョンの回線接続部ユニットを実装し、端末装置１０からバージョン変更によるシステム構成設定変更コマンドを投入する。ＨＭＩ制御部１の構成設定判定部２８は、このコマンドを解析し、管理テーブル２７から回線接続部３の現用Ｗスロットに実装したユニットのバージョン情報を読取り（Ｃ１）、又予備Ｐスロットに実装したユニットのバージョン情報を読取り（Ｃ２）、各バージョンが共に新しいか否かを判定する（Ｃ３）。
【００４０】
現用，予備のユニットのバージョンが異なる場合、即ち、新旧バージョンのユニットが混在して実装された場合、一般に、新バージョンから旧バージョンに戻すことは困難であるから、新バージョンのユニットが実装されても、動作モードを旧バージョンによるものと判定する（Ｃ５）。又現用，予備のユニットのバージョンが共に同一の新バージョンの場合、動作モードを新バージョンによるものと判定する（Ｃ４）。
【００４１】
前述の判定結果（Ｃ４），（Ｃ５）に応じて、回線接続状態管理部２６で管理する管理テーブル（ＲＡＭ）２７の回線接続管理情報を更新し、主制御部２へシステム構成設定変更の制御要求を行う（Ｃ６）。なお、動作モードを旧バージョンによるものと判定し、且つ前のバージョンと同一の旧バージョンの場合は、バージョン変更によるシステム構成設定変更は必要がないことになる。
【００４２】
主制御部２は、ＨＭＩ制御部１から加えられたバージョン情報を含む制御要求に従って、管理テーブル（ＲＡＭ，ＥＥＰＲＯＭ）３７の管理情報を更新し、その管理情報によるシステム構成に従った設定データを入出力部３５（図３参照）に設定する（Ｃ７）。それによって、新たなバージョンによる動作設定等が行われる。
【００４３】
図８は本発明の第４の実施の形態のフローチャートであり、ユニットの増設及び撤去の場合を示し、増設するスロットにユニットを実装し、使用しないユニットを抜き取って、端末装置１０からユニットの増減によるシステム構成設定変更コマンドを投入する。ＨＭＩ制御部１は、このコマンドを解析し、構成設定判定部２８は、管理テーブル２７のユニット実装状態テーブル２７−１からユニット実装状態情報を読取り（Ｄ１）、そのユニットは正常実装であるか否かを判定する（Ｄ２）。
【００４４】
判定結果が正常実装の場合、そのユニットのサービス状態をサービスインにする（Ｄ３）。即ち、そのユニット対応のサービス状態テーブル２７−３の領域を、イン・サービス状態ＩＳにする。そして、回線サービス状態管理部２５で管理する管理テーブルの回線サービス状態情報を、サービスイン可能状態にする（Ｄ４）。この場合、図示を省略した処理により、アラーム発生の有無等を判定し、アラーム発生がない場合に、実装したユニットが正常であると判定して、回線サービス状態をイン・サービス状態に移行させる。
【００４５】
又ユニットが正常実装でない場合、そのユニットは未実装か否かを判定する（Ｄ５）。正常実装でなく、且つ未実装ではない状態は、誤実装であるから、この場合の処理は終了する。又未実装の場合は、ユニットを抜き取った状態の場合、そのユニットについてのサービス状態をアウト・オブ・サービス状態とし（Ｄ６）、そのユニットに関連した回線サービス状態をアウト・オブ・サービス状態とする（Ｄ７）。
【００４６】
そして、ユニットサービス状態管理部２４によるユニットサービス状態情報及び回線サービス状態管理部２５による回線サービス状態情報を更新し、この更新した情報を基に、主制御部２に対して、システム構成設定変更の制御要求を行う（Ｄ８）。
【００４７】
主制御部２は、ＨＭＩ制御部１から加えられた更新情報を含む制御要求に従って、管理テーブル（ＲＡＭ，ＥＥＰＲＯＭ）３７の管理情報を更新し、その管理情報によるシステム構成に従った設定データを入出力部３５（図３参照）に設定する（Ｄ９）。それによって、新たなユニットの実装或いは撤去によるシステム構成の設定が行われる。
【００４８】
図９は本発明の第５の実施の形態のフローチャートであり、ユニットの実装時の場合を示し、現用Ｗ又は予備Ｐのスロットにユニットを実装し、端末装置１０からユニット実装によるシステム構成設定変更コマンドを投入する。ＨＭＩ制御部１は、このコマンドを解析し、構成設定判定部２８により、管理テーブル２７のユニット種別テーブル２７−２を検索し、現用Ｗスロットのユニット種別を読取り（Ｅ１）、次に予備Ｐスロットのユニット種別を読取り（Ｅ２）、それぞれのユニット種別が異なるか否かを判定する（Ｅ３）。
【００４９】
ユニット種別が異なる場合、現在設定されているユニット種別を維持する為にシステム構成設定変更の処理は終了する。又ユニット種別が同一の場合、そのユニット種別より回線種別・回線速度を判定し（Ｅ４）、管理テーブル（ＲＡＭ）２７の管理情報の更新を行い、主制御部２に対してシステム構成設定変更の制御要求を行う（Ｅ５）。
【００５０】
主制御部２は、ＨＭＩ制御部１から加えられた更新情報を含む制御要求に従って、管理テーブル（ＲＡＭ，ＥＥＰＲＯＭ）３７の管理情報を更新し、その管理情報によるシステム構成に従った設定データを入出力部３５（図３参照）に設定する（Ｅ６）。それによって、新たなユニットの実装によるシステム構成の設定が行われる。
【００５１】
【発明の効果】
以上説明したように、本発明は、伝送装置のシステム構成の設定変更時に、端末装置１０から最初にシステム構成設定変更コマンドを投入するだけで、ＨＭＩ制御部１の判定処理等により、主制御部２にシステム構成の設定変更の制御要求を送出し、主制御部２は、管理情報の更新内容を含む制御要求に従ってシステム構成の設定変更を行うものであり、ユニットの挿抜等に伴うシステム構成の設定変更時のオペレータの操作が簡単化され、操作ミスの発生もなく、且つ立上げに要する時間の短縮を図ることができる利点がある。
【図面の簡単な説明】
【図１】本発明の実施の形態の説明図である。
【図２】本発明の実施の形態のＨＭＩ制御部及び主制御部の説明図である。
【図３】本発明の実施の形態の管理テーブルの関連構成説明図である。
【図４】管理テーブルの説明図である。
【図５】本発明の第１の実施の形態のフローチャートである。
【図６】本発明の第２の実施の形態のフローチャートである。
【図７】本発明の第３の実施の形態のフローチャートである。
【図８】本発明の第４の実施の形態のフローチャートである。
【図９】本発明の第５の実施の形態のフローチャートである。
【図１０】伝送装置の要部説明図である。
【符号の説明】
１  ＨＭＩ制御部
２  主制御部
３  回線接続部
４，５  高次群ユニット
６〜８  低次群ユニット
９  電源ユニット
１０  端末装置
１１−１〜１１−ｎ  主信号ユニット
１２−１〜１２−ｍ  回線接続部ユニット
【図１】
0003738378.tif 000002
【図２】
0003738378.tif 000003
【図３】
0003738378.tif 000004
【図４】
0003738378.tif 000005
【図５】
0003738378.tif 000006
【図６】
0003738378.tif 000007
【図７】
0003738378.tif 000008
【図８】
0003738378.tif 000009
【図９】
0003738378.tif 000010
【図１０】
0003738378.tif 000011